Podtech/llm-jp-corpus-v4-ja_patent huggingface dataset:
(57)【要約】【課題】レンガを製造するさいに、二酸化炭素を空気中に排出しないように、焼かずに土とセメント系固化材を調合し練り上げ、型に入れ成形し乾燥を経てレンガを製造する。【解決手段】レンガに適した土１に対し、セメント系固化材０．２の重量の割合を用意した１の工程を経てその材料同士を調合し、２の工程となる。次に、調合し終えた材料に水を少しずつ加え練り上げる３の工程が終われば次に、練りあげられた材料を形成するための型に入れる４の工程となる。型に入れた状態で焼かずに乾燥工程５を経て、最後に型から取外し完成工程６となる。【選択図】図１
2008266110.tif 000002
【特許請求の範囲】
【請求項１】
土１に対しセメント系固化材０．２の割合で調合し、そこに水を少しずつ加え練り上げ、成形するための型に入れ、焼かずに乾燥をし型から取外し完成品となることを特徴とする、レンガの製造方法。
【請求項２】
上記、製造方法の工程において土とセメント系固化材のほかに顔料を混入し、カラー色豊かなレンガを作ることを特徴とした請求項１記載のレンガの製造方法。
【請求項３】
製造方法の工程において、乾燥したハーブ類を混入し、香り効果の出ることを特徴とした請求項１、２記載のレンガの製造方法。
【発明の詳細な説明】
【技術分野】
【０００１】  本発明は、焼かずに容易に造るレンガの製造方法に関するものである。
【背景技術】
【０００２】  通常レンガは、天然の粘性の土を練り上げプレス及び型に入れ、ある程度乾燥した後に、焼成し製造されている。【０００３】  しかし、焼成するために二酸化炭素を空気中に排出するため、地球環境に対し悪い影響を及ぼしているという欠点があった。【０００４】  二酸化炭素を空気中に排出する欠点は、地球の温暖化現象を増長するため地球環境を害する問題があった。【０００５】  この改善策として、焼成する工程において極力二酸化炭素を排出させないような装置があるが、完全に二酸化炭素を無くすることはできてない現状である。
【発明の開示】
【発明が解決しようとする課題】
【０００６】  解決しようとする問題点は、レンガを製造する工程において二酸化炭素を空気中に排出する製造方法である。
【課題を解決するための手段】
【０００７】  本発明は、レンガを製造するための土１に対しセメント系固化材０．２の重量の割合で調合し、そこに水を少しづつ加え練り上げ成形するための型に入れ、焼かずに乾燥を経て型からはずし、完成品となることを最も主要な特徴とする。
【発明の効果】
【０００８】  本発明のレンガの製造方法は、焼かずに容易に造ることができ、二酸化炭素を排出することなく地球環境に対し無害という利点がある。また、工場での大量生産が可能である。個人においても手軽に造ることができる利点もある。
【発明を実施するための最良の形態】
【０００９】  土１に対しセメント系固化材０．２の重量の割合で調合し、そこに水を少しづつ加え練り上げ成形するための型に入れ、焼かずに乾燥を経て型からはずしレンガを製造する方法を実現した。
【実施例１】
【００１０】  図１は、本発明のレンガの製造工程を示す。【００１１】  図１を参照して詳細に説明する。まず始めに１の工程は土１とセメント系固化材０．２の重量の割合で用意をする。２の工程では、土１とセメント系固化材０．２を調合する。３の工程は、調合した材料に水を加え練り上げる。４の工程においては、練りあがった材料を型に入れ成形する。５の工程では、型にいれたままで乾燥をする。６の工程においては、型から取外し完成品となる。【００１２】  上記説明では、単色の製造方法であるが２の工程で調合を終えた材料に顔料を混入すれば、色々なカラーを作ることが可能となり、用途景観上使用が広がる。【００１３】  また、３の工程が終了した後に乾燥をしておいたハーブ類を混入し、再度練り上げ型に入れ成形して出来上がる製品は、香り成分効果が期待できる製品となり、用途が広がる。
【産業上の利用可能性】
【００１４】  練り上がったものが流動的材料で色々な型に入れ成形することが可能なため、天然の資材に変わりえる造形を生み出すことができる。例えば鉢、花瓶、表札など園芸からインテリアまで幅広い用途に提供することができる。
【図面の簡単な説明】
【００１５】
【図１】レンガの製造方法の工程を示した説明図である。（実施例１）
【符号の説明】
【００１６】１  土１とセメント系固化材０．２の材料の準備工程
２  土とセメント系固化材の調合工程
３  土とセメント系固化材に水を加え練り上げ工程
４  練り上げた物を型に入れる成形工程
５  型に入れたままで乾燥する工程
６  乾燥後、型から取外し完成品となる工程
【図１】
2008266110.tif 000003
(57)【要約】      （修正有）【課題】シリコンジェルシート及びポリエチレンとポリスチレンを共重合した皮膚保護用シートは両方とも粘着性があり、ベトベトしており、皮膚の患部に当てる場合は密着するので非常に良いのであるが、その反対の面が衣類等に貼り着いてしまうという使用に際しての不都合があった。そこで、皮膚の患部に当てた反対側の面が衣類等に粘着しないようにしたシリコンジェルシート、又はポリエチレンとポリスチレンを共重合した皮膚保護用シート提供すること。【解決手段】ポリエチレンとポリスチレンを共重合したジェル状の皮膚保護用シートの片面、又はシリコンジェルシートの片面にポリウレタンフィルムを貼り着け、さらに当該片面の反対側の面は剥離紙を貼り着けたこと。【選択図】図１
2008266232.tif 000002
【特許請求の範囲】
【請求項１】
ポリエチレンとポリスチレンを共重合したジェル状の皮膚保護用シートの片面、又はシリコンジェルシートの片面にポリウレタンフィルムを貼り着け、さらに当該片面の反対側の面は剥離紙を貼り着けたことを特徴とする皮膚保護用シート。
【発明の詳細な説明】
【技術分野】
【０００１】
本発明は、皮膚保護用シートに関する。
【背景技術】
【０００２】
従来より、褥瘡、ケロイド及び肥厚性瘢痕等の皮膚治療にはシリコンジェルシートが使用されてきた（例えば、非特許文献１参照。）。
又、シリコンジェルシートは値段が高いので、シリコンジェルシートを使用せず、褥瘡、ケロイド及び肥厚性瘢痕等の皮膚治療の予防に用いる皮膚保護用シートとしてポリエチレンとポリスチレンを共重合した皮膚保護用シートがある（例えば、特許文献１参照。）。
【０００３】
【特許文献１】特開２００６−３１５９８０号公報
【非特許文献１】「ケロイド・肥厚性瘢痕等の治療とシリコーン・ジェルシート」臨床医薬、第２０巻、第４号、別冊、平成１６年４月発行
【発明の開示】
【発明が解決しようとする課題】
【０００４】
しかし、シリコンジェルシート及びポリエチレンとポリスチレンを共重合した皮膚保護用シートは両方とも粘着性があり、ベトベトしており、皮膚の患部に当てる場合は密着（粘着）するので非常に良いのであるが、その反対の面が衣類等に貼り着いてしまうという使用に際しての不都合があった。
【０００５】
そこで、本発明は皮膚の患部に当てた反対側の面が衣類等に粘着しないようにしたシリコンジェルシート、又はポリエチレンとポリスチレンを共重合した皮膚保護用シート提供することを目的とする。
【課題を解決するための手段】
【０００６】
前記目的を達成するため本発明の皮膚保護用シートは、
ポリエチレンとポリスチレンを共重合したジェル状の皮膚保護用シートの片面、又はシリコンジェルシートの片面にポリウレタンフィルムを貼り着け、さらに当該片面の反対側の面は剥離紙を貼り着けたことからなる。
【０００７】
ポリウレタンとは、通常イソシアネート基とアルコール基が縮合してできるウレタン結合で、モノマーを共重合させた高分子化合物であり、繊維製品（ストレッチ素材）等の他、幅広く使用されている。
【０００８】
本発明においてポリウレタンのフィルムを使用したのはポリウレタンフィルムは伸縮性があるが、粘着性がなく衣類等に貼り着かないからである。
【０００９】
シリコンジェルシート、又はポリエチレンとポリスチレンを共重合した皮膚保護用シートを皮膚の患部、即ち、一部に貼着するのであるが、皮膚の一部は体の一部であり、体はたえず動くものであるから、前記シートは伸縮性がないと都合が悪く、伸縮性を必要とするものである。
【発明の効果】
【００１０】
したがって、本発明は皮膚の患部に粘着するが、衣類等には貼着せず、かつ伸縮性があるという効果を生じるものである。
【発明を実施するための最良の形態】
【００１１】
図１は皮膚保護用シートにポリウレタンフィルム及び剥離紙を貼着しようとする状態を示す図である。
シリコンジェルシート、又はポリエチレンとポリスチレンを共重合した皮膚保護用シート（以下、皮膚保護用シートという。）１の片面（上面）２にポリウレタンフィルム３を貼着し、その反対側の面（下面）４に剥離紙５を貼着しようとする状態を示している。
【００１２】
図２は皮膚保護用シートの片面（上面）にポリウレタンフィルムを貼着し、その反対側の面（下面）に剥離紙を貼着した状態を示す図である。皮膚保護用シート１の上面２にポリウレタンフィルム３を貼着し、その下面４に剥離紙５を貼着する。
【００１３】
皮膚保護用シート１を使用する場合、剥離紙５を剥がして皮膚保護用シート１の下面４を皮膚の患部に当てるものである。当該上面２にはポリウレタンフィルム３が貼着してあるので、貼着してある皮膚保護用シート１の上から衣服を着ても衣服に皮膚保護用シート１が粘着しないものである。
【００１４】
皮膚保護用シート１、ポリウレタンフィルム３、及び剥離紙５は縦約６ｃｍ、横約１２ｃｍの大きさが好適であり、皮膚保護用シート１の厚さは約２ｍｍ、ポリウレタンフィルム３の厚さは約０．０３ｍｍが好適であるが、用途に応じてこの大きさ、特に縦と横の長さは変えることが出来るものである。
【００１５】
又、皮膚保護用シート１の上面２にポリウレタンフィルム３を貼着し、当該下面４に剥離紙５を貼着し、裁断機で裁断するだけなので、製造方法も非常に簡単であり、コストもこの点からは安くすることが出来るものである。
【００１６】
剥離紙５は、皮膚保護用シート１が粘着性があるので、その下面４に貼っておかないとゴミ等が付着したりするので、それを防げば良く、又当該皮膚保護用シート１を使用する際、すぐに剥がれれば良いので、市販の剥離紙で良い。この点からも製造方法が簡単である。
【図面の簡単な説明】
【００１７】
【図１】皮膚保護用シートにポリウレタンフィルム及び剥離紙を貼着しようとする状態を示す図である。
【図２】皮膚保護用シートの片面（上面）にポリウレタンフィルムを貼着し、その反対側の面（下面）に剥離紙を貼着した状態を示す図である。
【符号の説明】
【００１８】
１    皮膚保護用シート
２    皮膚保護用シートの上面
３    ポリウレタンフィルム
４    皮膚保護用シートの下面
５    剥離紙
【図１】
2008266232.tif 000003
【図２】
2008266232.tif 000004
(57)【要約】      （修正有）【課題】コールセンターにおいて、複数のオペレーターの会話速度が季節や時間等の環境の変化や利用者や使用目的に適応するように、オペレーターの会話速度を集中管理、制御する。【解決手段】オペレーター１は、外部制御入力付き体感器２からの振動や刺激の速さに会話速度を合わせる。外部制御入力付き体感器２はオペレーター１や、オペレーター側電話機３や、集中管理者４から制御されて振動や刺激の数や振動や刺激の強さや振動や刺激のパターンや振動や刺激の開始及び終了等をオペレーター１に体感させる。【選択図】図１
2008148267.tif 000002
【特許請求の範囲】
【請求項１】
体感器の振動や刺激の速さや振動や刺激の強さや振動や刺激のパターンや振動や刺激の開始及び終了等の管理、制御を有線、無線に関わらず任意に外部からも可能とする機能を有することを特徴とする体感器管理システム。
【請求項２】
体感器の振動や刺激の速さや振動や刺激の強さや振動や刺激のパターンや振動や刺激の開始及び終了等の管理、制御を有線、無線に関わらず任意に外部からも可能とする機能を有することを特徴とする体感器管理プログラム。
【請求項３】
体感器管理システム及び体感器管理プログラムを可能とする外部制御入力付き体感器。
【発明の詳細な説明】
【技術分野】
【０００１】  本発明は、コールセンターなどのオペレーターの会話速度を季節や時間等の環境の変化や利用者や使用目的に適応した会話速度に集中して管理、制御することを特徴とする体感器管理システム及び体感器管理プログラムに関する発明である。
【背景技術】
【０００２】  従来のコールセンターにおいては、オペレーターが利用者の要望や苦情等に対応することを目的としている。【０００３】  従来の体感器においては、個別に設定した体感器が発生させる振動や刺激の速さや振動や刺激の強さや振動や刺激のパターンや振動や刺激の開始及び終了等を人体に体感させることを目的としている。
【発明が解決しようとする課題】
【０００４】  従来のコールセンターにおいては、全オペレーターの会話速度が季節や時間等の環境の変化や利用者や使用目的に適応していないという問題がある。
【０００５】  従来の体感器においては、個別に設定した体感器が発生させる振動や刺激の速さや振動や刺激の強さや振動や刺激のパターンや振動や刺激の開始及び終了等を人体に感知させることを目的としているため複数の体感器の設定を同時に変更できないという問題がある。
【０００６】  本発明は斯かる事情に鑑み、本発明の体感器管理システム及び体感器管理プログラムは、複数のオペレーターの会話速度を集中して管理、制御することにより、季節や時間等の環境の変化や利用者や使用目的に適応した複数のオペレーターの会話速度を利用者に提供することを目的としている。
【課題を解決するための手段】
【０００７】上記課題を解決するための手段として本発明の体感器管理システム及び体感器管理プログラムにおいては、外部制御入力付き体感器を用いることにより複数のオペレーターの会話速度を集中して管理、制御することにより、季節や時間等の環境の変化や利用者や使用目的に適応した複数のオペレーターの会話速度を利用者に提供することが可能になり、利用者が抱くオペレーターやコールセンターへの印象を変化させることを可能とする。
【０００８】  外部制御入力付き体感器の管理、制御はオペレーター側の電話機の着信信号や着信音や呼び出し回数やオンフックやオフフックの情報や集中して管理する者やオペレーター自らもおこなうことを可能とする。
【０００９】  外部制御入力付き体感器の振動や刺激の数や振動や刺激の強さや振動や刺激のパターンや振動や刺激の開始及び終了等の情報によってオペレーターは会話速度を体感器に合わせることを可能とする。
【００１０】  外部制御入力付き体感器の設定を集中して管理する方法は、有線、無線に関わらず設定の変更を可能とする。
【発明を実施するための最良の形態】
【００１１】  図１は、本発明の実施形態に係るコールセンターにおける体感器管理システム及び体感器管理プログラムの構成を示すブロック図である。図１において１はオペレーター、２は外部制御入力付き体感器、３はオペレーター側電話機、４は集中管理者である。１のオペレーターは２の外部制御入力付き体感器からの振動や刺激の速さに会話速度を合わせる、２の外部制御入力付き体感器は１のオペレーターや３のオペレーター側電話機や４の集中管理者から制御されて振動や刺激の数や振動や刺激の強さや振動や刺激のパターンや振動や刺激の開始及び終了等を１のオペレーターに体感させる。【００１２】  ２の外部制御入力付き体感器は３のオペレーター側の電話機の着信信号や着信音や呼び出し回数やオンフックやオフフックの情報等を感知し制御される。【００１３】  ２の外部制御入力付き体感器の制御の例として４の集中管理者が２の外部制御入力付き体感器の振動や刺激の速さの設定を行う、３のオペレーター側の電話機の呼び出し回数を２の外部制御入力付き体感器が感知して呼び出し回数によって振動や刺激の強さや振動や刺激のパターンを変化させる、３のオペレーター側の電話機の着信信号や着信音を２の外部制御入力付き体感器が感知して振動や刺激を開始する、３のオペレーター側の電話機のオフフックを２の外部制御入力付き体感器が感知して振動や刺激を停止する。【００１４】  図１における４の集中管理者は複数ある２の複数制御入力付き体感器から出力される振動や刺激の設定を管理する、４の集中管理者は複数ある２の複数制御入力付き体感器を全数同じ設定にすることも可能であり、複数のグループ分けて設定することも可能とする、設定の変更は随時可能とする。【００１５】  ２の複数制御入力付き体感器は４の集中管理者から設定の変更を指示された時、振動や刺激の動作をしていないときは即時に設定の変更を行なうが、振動や刺激の動作をしているときは即時に設定の変更を行なわず振動や刺激の動作終了時に行なう。
【発明の効果】
【００１６】  本発明の効果として、〔請求項１〕〔請求項２〕〔請求項３〕により、オペレーターの会話速度を季節や時間等の環境の変化や利用者や使用目的に適応した会話速度になるように体感器管理システム及び体感器管理プログラムで管理、制御を集中して効率的に管理させることが可能になり、利用者のオペレーターやコールセンターへの印象を変化させることが可能であるため、利用者や利用目的の印象の改善に対して効果的である。
【図面の簡単な説明】
【００１７】
【図１】本発明の実施形態に係るコールセンターにおける体感器管理システム及び体感器管理プログラムの構成を示すブロック図である。
【符号の説明】
【００１８】１・・オペレーター
２・・外部制御入力付き体感器
３・・オペレーター側電話機
４・・集中管理者
【図１】
2008148267.tif 000003
(57)【要約】【課題】通話録音情報の内容を把握するためには、通話録音情報をアナログ変換し、再生することで内容を特定する必要がある。長時間に及ぶ通話録音情報においては、どこに特徴のある通話録音情報なのか事前に見当がつかないため、通話録音内容を録音の時間分、再生しなければならない。通話録音情報を音声認識技術などにより視覚化、文書化する技術は一般的ではあるが、音声認識技術を搭載した高価なシステムが必要となり経済的負担が大きい。【解決手段】通話録音情報に、単一あるいは複数の組合せによる電話回線上使用されるＤＴＭＦ信号の埋め込みを行う。【選択図】図１
2008148269.tif 000002
【特許請求の範囲】
【請求項１】
通話録音情報に、ＤＴＭＦ信号の埋め込みを行うことができるパーソナルコンピューター上で動作するソフトウェアおよびそのソフトウェアを記録している媒体。
【請求項２】
通話録音情報に、ＤＴＭＦ信号の埋め込みを行うことができる通話録音装置。
【発明の詳細な説明】
【技術分野】
【０００１】本発明は通話録音の内容および特徴を視覚化するための方法に関する。
【背景技術】
【０００２】通話録音情報を音声認識技術などにより文書化するシステムは広く一般的に知られている。【０００３】ＤＴＭＦ信号は一般的に電話回線上で使用されている可聴信号である。
【発明の開示】
【発明が解決しようとする課題】
【０００４】通話録音情報の内容を把握するためには、通話録音情報をアナログ変換し、再生することで内容を特定する必要がある。【０００５】長時間に及ぶ通話録音情報においては、どこに特徴のある通話録音情報なのか事前に見当がつかないため、通話録音内容を録音の時間分、再生しなければならない。【０００６】通話録音情報の内容を音声情報にファイル名として付与し、通話録音情報の主な内容とする方式も一般的ではあるが、命名規則や名称として付与可能な長さに規定があり、複数の目的や特徴を付与するには制限がある。【０００７】また、上記のように音声情報に名称を付与すること以外の方法として、別領域に通話録音の記録内容や特徴を保存しておく方式も考えられるが、音声情報との関連を現す識別子情報など、余分な情報を別途保存しておく必要がある。【０００８】通話録音情報を音声認識技術などにより視覚化、文書化する技術は一般的ではあるが、音声認識技術を搭載した高価なシステムが必要となり経済的負担が大きい。
【課題を解決するための手段】
【０００９】上記課題を解決するため、通話録音情報に、単一あるいは複数の組合せによる電話回線上使用されるＤＴＭＦ信号の埋め込みを行う。
【発明の効果】
【００１０】本発明の方法を用いることで、再生事前に通話録音情報の内容を視覚化することができる。【００１１】通話録音情報を再生事前に視覚化することで通話録音情報の、どの時間帯に特徴があるのかを把握し特定することができる。【００１２】また、本発明の方法を用いた通話録音情報は、一般的なＤＴＭＦ信号の埋め込みによるもののため、電話回線などを用い他システムに伝送し、他システムによりＤＴＭＦ信号を解析することで、目的や特徴を伝えることも可能となる。
【実施例】
【００１３】以下、本発明の実施例を図に基づいて説明する。【００１４】目的や特徴を事前に規定し、その目的や特徴に対応するＤＴＭＦ信号の組合せを規定し、図２の５組合せ記録部に記憶保存しておく。たとえば、資料請求は＊＃、クレームは＃＃という関連付けを行う。【００１５】ＤＴＭＦ信号は、録音情報フォーマット（たとえばＰＣＭ）およびサンプリングレート（たとえば８ＫＨｚ）に従い、予めデジタルデータとして図２の４ＤＴＭＦ信号記録部に単一のＤＴＭＦ信号として記録保存しておく。ＤＴＭＦ信号は、都度生成する方式でもよい。【００１６】パーソナルコンピューター上のキーボード入力装置より、通話録音中に目的や特徴を指示できるように、信号を出力できるよう割り付けておく。たとえば、Ｆ１キーは資料請求、Ｆ２キーはクレームなどの論理的関連付けを行う。【００１７】話者が通話録音中に、人為的に上記関連付けされたキーを押下することにより、図２の２入力信号検出部が作動し、入力されたキーより図２の５組合せ記録部に記録された目的や特徴を比較抽出し、予め規定したＤＴＭＦ信号の組合せを取り出す。【００１８】ＤＴＭＦ信号の組合せをもとに、図２の４ＤＴＭＦ信号記録部よりＤＴＭＦ信号のデジタルデータを取り出し、図１のように通話録音情報にＤＴＭＦ信号を挿入し保存する。【００１９】上記手段で記録された通話録音情報を再生する場合、事前に通話録音情報を読み出し、ＤＴＭＦ信号の解析を行い、ＤＴＭＦ信号の位置および信号の種類を記録しておく。【００２０】図３の６再生時間に伴うプログレスバー表示と、図３の７再生位置移動つまみを用意し、図３のように解析結果を表示することで、目的や特徴の位置を容易に特定することが可能となり、図３の７再生位置移動つまみを移動することで特定位置の選択を行い、選択位置より再生をすることができる。
【図面の簡単な説明】
【００２１】
【図１】通話録音ファイルに信号音を挿入する参考図
【図２】本発明の実施例であるソフトウェアの機能構成を示すブロック図
【図３】信号音が挿入された音声情報ファイルを再生指示する表示画面参考図
【符号の説明】
【００２２】１  入力装置
２  入力信号検出部
３  録音情報保存ファイル
４  ＤＴＭＦ信号記録部
５  組合せ記録部
６  再生時間に伴うプログレスバー
７  再生位置移動つまみ
【図１】
2008148269.tif 000003
【図２】
2008148269.tif 000004
【図３】
2008148269.tif 000005
(57)【要約】【課題】固定子枠の加工の流れは，固定子鉄心を挿入する部分の内径加工，固定子鉄心及び鉄心抑えとの溶接，溶接後の歪み取り，台車への取付け部分や各部品との嵌合部分の加工など手順が複雑であり，製作を複雑にしていた。固定子枠の構成を変更することにより，加工上の複雑さを解消し生産性の良い固定子鉄心と固定子枠とを提供することにある。【解決手段】固定子鉄心を覆い被せるように鋳造品の固定子枠を形成させることで，加工の手順を，鉄心の組立，鉄心組立品に固定子枠を鋳造，歪み取り，台車への取付け部分や各部品との嵌合部分の加工という手順に変更できるようにし，加工の複雑さを解消した鋳造固定枠付き固定子鉄心を構成する。【選択図】図１
2008148363.tif 000002
【特許請求の範囲】
【請求項１】
車両の台車内に据え付けられている主電動機における固定子鉄心と固定子枠との構成において、該固定子鉄心の外径側及び側面を覆い被せるように該台車への取付け部を含めて一体で鋳造した該固定子枠とで構成したことを特徴とする鋳造固定枠付き固定子鉄心。
【発明の詳細な説明】
【技術分野】
【０００１】
本発明は，車両用主電動機の固定子鉄心と固定子枠との構成に関するものである。
【背景技術】
【０００２】
固定子鉄心と鉄心枠との構成は，積層した固定子鉄心板をまとめた該固定子鉄心を，該固定子鉄心を挿入する内径部分を加工した固定子枠に挿入する構成と，積層した固定子鉄心板の外径及び側面に該固定子枠の構成部品を溶接する構成とから成り、この状態は図２に示される。
【０００３】
図２はその従来の一例を示す説明図であり，１は鉄心板，２は固定子枠，３は鉄心抑えである。図２において，複数の鉄心板１を積層して締付け冶具などで締付けしたものを鉄心組立品とする。この鉄心組立品を，鉄心組立品を挿入する内径部分を加工しておいた固定子枠２に挿入し，次に鉄心抑え３を挿入する。その後，固定子枠と鉄心組立品及び鉄心抑えを溶接し一体品となるよう構成する。
【０００４】
【特許文献１】特開昭５４−１５１０４号公報、第１図
【発明の開示】
【発明が解決しようとする課題】
【０００５】
しかしながら，このような構成では，次のような課題があった。
固定子枠の加工の流れは，固定子鉄心を挿入する部分の内径加工，固定子鉄心及び鉄心抑えとの溶接，溶接後の歪み取り，台車への取付け部分や各部品との嵌合部分の加工など手順が複雑であり，製作を複雑にしていた。
本発明は，上述した点に鑑みて創案されたもので，その目的とするところは，固定子枠の構成を変更することにより，加工上の複雑さを解消し生産性の良い固定子鉄心と固定子枠とを提供することにある。
【課題を解決するための手段】
【０００６】
つまり，その目的を達成するための手段は，車両の台車内に据え付けられている主電動機における固定子鉄心と固定子枠との構成において、該固定子鉄心の外径側及び側面を覆い被せるように該台車への取付け部を含めて一体で鋳造した該固定子枠とで構成したことを特徴とする。さらに、固定子鉄心を覆い被せるように鋳造品の固定子枠を形成させることで，加工の手順を，鉄心の組立，鉄心組立品に固定子枠を鋳造，歪み取り，台車への取付け部分や各部品との嵌合部分の加工という手順に変更できるようにすることである。
【発明の効果】
【０００７】
以上説明したように本発明によれば，固定子鉄心を覆い被せるように鋳造した固定子枠を持つ固定子鉄心により，加工の複雑さを解消した鋳造固定枠付き固定子鉄心を提供することができるため，実用性の高いものである。
【発明を実施するための最良の形態】
【０００８】
図１、３は本発明の一実施例を示す説明図である。図１、３において，１は鉄心板，２は固定子枠，３は鉄心抑え，４は鉄心板の外周に設けた溝である。なお，図２と同符号のものは，同じ構成，機能を有する部分である。
【０００９】
図１、３において，鉄心板1を積層したものの両側に鉄心抑え３を設け，外周の溶接溝を溶接することで一体としたものを鉄心組立品とする。鉄心板の外周に設けた溝４は複数あり，半数は溶接用として使用し，残りの半数は鉄心組立品が固定子枠２の内部で滑らないようにするためのガイドとして機能する。鉄心組立品の外径側及び側面を覆い被せるように台車への取付け部を含めて一体で鋳造した固定子枠２は，図３のごとく鉄心板の外周に設けた溝４の中に入り込む部分も一体として形成される。
【図面の簡単な説明】
【００１０】
【図１】本発明の実施例を示す説明図である。
【図２】従来の一例を示す説明図である。
【図３】本発明の実施例の縦断面を示す説明図である。
【符号の説明】
【００１１】
１    鉄心板
２    固定子枠
３    鉄心抑え
４    鉄心板の外周に設けた溝
【図１】
2008148363.tif 000003
【図２】
2008148363.tif 000004
【図３】
2008148363.tif 000005
(57)【要約】      （修正有）【課題】それぞれの機器を使用中、内蔵されている二次電池が消耗された時、緊急用の充電器充電器を提供する。【解決手段】一つのモールドに、多種類のコネクタを配置する事により、それぞれの機器に、コネクタを挿入して、一台の充電器で充電する。【選択図】図１
2008148537.tif 000002
【特許請求の範囲】
【請求項１】
本発明は、携帯電子機器及び移動通信機用の充電に関する物である。
【発明の詳細な説明】
【発明の詳細な説明】
【産業上の利用分野】
【０００１】  本発明は、携帯電話や携帯ゲーム及び携帯音楽機器を使用中、内蔵されている二次電池が消耗された時、緊急用として使用する物である。
【背景技術】
【０００２】  携帯電話や携帯ゲーム機及び携帯音楽機器はそれぞれ個別のコネクタが存在します。従来は、それぞれ別々のコネクタを用意して、充電していました。
【発明が解決するための手段】
【０００３】  それぞれの機器に充電するには、個別ののコネクタを準備しなければ成りません。個別に準備すると、交換の手間や紛失等の事故が発生します。本発明は一個のモールドに多種類のコネクタを、配置する事により多種類の機器に容易にコネクタを装着する事ができ簡単に充電できます。
【発明の効果】
【０００４】  本発明によれば、使用中のそれぞれの機器の電源が消耗した時に、瞬時にそのまま、それぞれの機器に充電出来ます。充電する電力はＡＣ電源、ＤＣ電源、ＵＳＢ電源、乾電池電源が有ります。
【図面の簡単な説明】
【図１】デザイン平面図
【符号の説明】
１．ＦＯＭＡコネクタ
２．ＣＤＭＡコネクタ
３．ＤＳＬＩＴＥコネクタ
４．ｍｉｎｉＢメスコネクタ
５．モールド
【図１】
2008148537.tif 000003
(57)【要約】【課題】本発明は、芝生の上を歩く人の踏圧からの保護および芝生資材と共に芝を出荷する手段の提供にある。【解決手段】本発明は、踏圧部と透水部からなる芝生資材であって、踏圧部は互いに稜部で結合され、透水部は踏圧部で囲まれた領域に設けられた複数の孔があいた板状部で、透水部で芝生を育成し、踏圧部で踏圧を受ける芝生資材および踏圧部を結合する梁部を踏圧部の中間に設けた芝生資材である。こうすることで芝生と芝生資材を組み合わせた状態で出荷などの取扱いができる。【選択図】図1
2008148593.tif 000002
【特許請求の範囲】
【請求項１】
踏圧部と透水部からなる芝生資材であって、踏圧部は互いに稜部で結合され、透水部は踏圧部で囲まれた領域に設けられた複数の有孔の板状部で、透水部で芝生を育成し、踏圧部で踏圧を受けることを特徴とする芝生資材。
【請求項２】
踏圧部と透水部からなる芝生資材であって、踏圧部は互いに稜部で結合され、稜部は踏圧部の中間の高さを通過するように設けられ、透水部は踏圧部で囲まれた領域で透孔が設けられ、透水部で芝生を育成し、踏圧部で踏圧を受けることを特徴とする芝生資材。
【発明の詳細な説明】
【技術分野】
【０００１】
本発明は、芝生などの植物の保護・取扱い技術に属する。
【背景技術】
【０００２】
芝生やその他の植物を育成させた広場として、ゴルフ場、運動場、公園、庭園、工場の路側、各種の敷地空間内があり、古くは芝生保護のため芝生内は立ち入り禁止とする場合が普通であった。最近では芝生内に立ち入る人、あるいは車の踏圧から植物を保護するための図４に示すような踏圧部と透孔部からなる芝生保護盤（特開平2-145137、4-75541等）が各種提案され使用されている。
これら芝生保護盤を用い、透孔部に砂利を敷き均し、その砂利の隙間から芝生を育成させた使い方など特開平7-227154に開示されている。
芝の保護保護盤を用いた保護方法は、芝用の土壌に芝を育てその上から芝生保護盤を載せ、踏圧から保護するあるいは畑土の撒き芝あるいは種を撒いて芝生保護盤を敷き、芝の成長を待つ方法がとられている。芝生を芝生保護盤と共に出荷し、そのまま植えつける手段はない。
【０００３】
【特許文献１】特開平2-145137
【特許文献２】特開平4-75541
【特許文献３】特開平7-227154
【発明の開示】
【発明が解決しようとする課題】
【０００４】
本発明は、芝生の上を歩く人の踏圧からの保護および出荷する手段の提供にある。
【課題を解決するための手段】
【０００５】
本第1の発明は、踏圧部と透水部からなる芝生資材であって、踏圧部は互いに稜部で結合され、透水部は踏圧部で囲まれた領域に設けられた複数の有孔の板状部で、透水部で芝生を育成し、踏圧部で踏圧を受ける芝生資材である。芝の根が芝生資材に絡まるよう透水部を複数の孔のあいた板状とした。
本第２の発明は、踏圧部と透水部からなる芝生資材であって、踏圧部は互いに稜部で結合され、稜部は踏圧部の中間の高さを通過するように設けられ、透水部は踏圧部で囲まれた領域で透孔が設けられ、透水部で芝生を育成し、踏圧部で踏圧を受ける芝生資材である。芝の根が芝生資材にからまるよう踏圧部を結合する梁部を踏圧部の中間にくるように設けた。
【発明の効果】
【０００６】
本第１の発明は、芝生資材の透水部を複数の孔が開いた板状としたため、芝の根が絡み芝生資材ごと芝の出荷が可能となる。
本第２の発明は、芝生資材の踏圧部を結合する梁部を踏圧部の中間部を通過するように設けたため芝の根は梁部に絡み芝生資材ごとの出荷が可能となる。
【発明を実施するための最良の形態】
【０００７】
以下本第１の発明を図により詳細に説明する。
図１は、本第１の発明を構成する芝生資材の概念を示す正面図および断面図である。
図１に示したように、本芝生資材は踏圧部と透水部からなる枠体であって、透水部は複数の孔が開いた板状となっている。図では格子状としてある。
図１ａに示した芝生資材では、透水部は踏圧部の最下層に設けてある。図１ｂ、ｃ、ｄに示した芝生資材では踏圧部の中間部より透水部が略水平に踏圧部間の間に設けてある。図の差は踏圧部の形状による。踏圧部の形状は踏圧を支えることができれば棒状であっても、上下に中空としても、下方が開放した筒状であってもよい。
踏圧部間は強度を保つため梁にて接続しておくことが好ましい。
いずれの図でも透水部は水平に表現してあるが斜めであってもその機能は損なわれることはない。
透水部を踏圧部最下層部に設けるより、中間に設けることが好ましい。こうすることで芝などの根が絡みついた土壌が多くなり、出荷の際芝を痛めることが少なくなる。
【０００８】
以下第２の発明につき図を用いて説明する。図２は、本第２の発明を構成する芝生資材の概念を示す正面図および断面図である。
図２ａに示した芝生資材は、その踏圧部を結合する稜部が水平に、踏圧部の中間に設けられ芝生の根が絡まれるようになっている。
図２ｂに示した芝生資材は、その踏圧部を結合する梁部が台形状斜めに構成されて、踏圧部の弾力性を高めている。芝生などの根は斜めに設けられた梁部に絡みつくようになっている。
【０００９】
図３は、芝生資材の使用の状態を示す図である。
畑土、あるいは広場を耕し、芝の種あるいは芝を植える。平らにならした後、図３ａに示すように芝生資材を並べ、図３ｂに示すよう目土を入れる。芝生が成長するにつれ芝の根が芝生資材の梁あるいは透水部に絡みつき図３ｃの状態になる。
広場ならそのまま芝生広場として使用し、畑土で出荷用であれば芝生資材ごと切り離し出荷する。芝生資材の中間部の梁あるいは透水部に絡んだ根は芝生資材の踏圧部の高さに相当する土壌をも保持するため出荷の際芝の痛みが少なくなる。
【００１０】
芝生資材は、従来の図４に示すような芝生保護盤と同様熱可塑系の樹脂で製造可能であり、また形状が維持できるものならその材料は問わない。図に示した芝生資材は相接する２辺にオス、メスの接合用継ぎ手を示したが、別途継ぎ手を用意してもよい。
【図面の簡単な説明】
【００１１】
【図１】本第１の発明である芝生資材の概念図である。
【図２】本第２の発明である芝生資材の概念図である。
【図３】芝生資材の使用例を示す概念図である。
【図４】従来の植物保護盤の一例を示す概念図である。
【符号の説明】
【００１２】
１  芝生資材
２  踏圧部
３  透水部
４  梁部
５  継手
６  目土
７  畑土
【図１】
2008148593.tif 000003
【図２】
2008148593.tif 000004
【図３】
2008148593.tif 000005
【図４】
2008148593.tif 000006
(57)【要約】【課題】アーティチョーク葉を手軽に摂食することのできる形態に加工処理し、その薬効を活かした可食材料、例えば飴及び薬膳用食材を開発する。【解決手段】アーティチョーク葉に由来する可食成分を含有する飴であって、アーティチョーク葉の乾燥粉末、又は抽出物（乾燥抽出物を含む）を飴生地又は水飴生地に混練し賦型化してなるものである。ここで、飴生地は特に限定されるものではなく、例えば水飴、グラニュー糖等の砂糖類やノンカロリー糖類が使用される。また、必要に応じて飴生地に色素、香料、酸味料等を加えることにより、色、味などに変化をつけることができる。【選択図】      なし【特許請求の範囲】
【請求項１】
植物由来の生薬成分を含有する飴において、
アーティチョーク（Artichoke)〔学名：Cynara scolymus L.（和名：チョウセンアザミ）〕の葉の乾燥粉末を飴生地又は水飴生地に混練し賦型化してなることを特徴とするアーティチョーク飴。
【請求項２】
植物由来の生薬成分を含有する飴において、
アーティチョーク（Artichoke)〔学名：Cynara scolymus L.（和名：チョウセンアザミ）〕の葉の抽出物を飴生地又は水飴生地に混練し賦型化してなることを特徴とするアーティチョーク飴。
【請求項３】
植物由来の生薬成分を含有する薬膳用食材において、
アーティチョーク（Artichoke)〔学名：Cynara scolymus L.（和名：チョウセンアザミ）〕の葉の乾燥粉末又は抽出物ないしは乾燥抽出物からなることを特徴とする薬膳用食材。
【発明の詳細な説明】
【技術分野】
【０００１】
本発明は植物由来の生薬成分を含有する飴及び薬膳用食材に係り、詳しくは、アーティチョーク葉の乾燥粉末又は抽出物（乾燥抽出物を含む）を配合したアーティチョーク飴及び薬膳用食材に関する。
【背景技術】
【０００２】
アーティチョーク（Artichoke)〔学名：Cynara scolymus L.（和名：チョウセンアザミ）〕はヨーロッパ・アメリカを中心に栽培されている野菜である。従来、アーティチョークは野菜として蕾部分を食するのが一般的である。
【０００３】
一方、アーティチョークの葉には肝機能促進作用、坑コレステロール、利尿作用、二日酔い防止などの薬効があることが知られており、その作用を利用した製剤や健康補助食品等が知られている（例えば、特許文献１、２、３及び４を参照）。
【特許文献１】特表２００４−５３７５７８号公報
【特許文献２】特表２００２−５１６２８５号公報
【特許文献３】特表２００１−５０４４４３号公報
【特許文献４】特開平１１−２８５３６０号公報
【０００４】
ところで、植物由来の生薬成分を含有する飴に関しては、従来より種々のもの（卑近にはのど飴等）が知られている（例えば、特許文献５、６、７、８、９及び10を参照）。
【特許文献５】特開２００６−２６２８４０号公報
【特許文献６】特開２００１−１１２４１８号公報
【特許文献７】特開２００１−９５４９１号公報
【特許文献８】特開平６−２７６９４８号公報
【特許文献９】特開平５−３０８９０３号公報
【特許文献１０】特開平９−１５７号公報
【発明の開示】
【発明が解決しようとする課題】
【０００５】
しかしながら、アーティチョークの葉（の乾燥粉末又は抽出物）を可食成分として用いた飴（商品）や薬膳用食材は見当たらない。
【０００６】
本発明はこのような事情に鑑みなされたものであって、アーティチョーク葉を手軽に摂食できる形態に加工し、その薬効を活かした可食材料、とりわけアーティチョーク飴及び薬膳用食材を提供するものである。
【課題を解決するための手段】
【０００７】
本発明は、植物由来の生薬成分を含有する飴において、
アーティチョーク葉に由来する可食成分を含有するアーティチョーク飴であって、アーティチョーク葉の乾燥粉末、又は抽出物（乾燥抽出物を含む）を飴生地又は水飴生地に混練し賦型化してなることを特徴とするものである。
【０００８】
また、植物由来の生薬成分を含有する薬膳用食材において、
アーティチョーク葉に由来する可食成分を含有する薬膳用食材であって、アーティチョークの葉の乾燥粉末又は抽出物ないしは乾燥抽出物からなることを特徴とするものである。
【発明の効果】
【０００９】
本発明のアーティチョーク飴はアーティチョーク葉の乾燥粉末もしくは抽出物（抽出液及び乾燥抽出物を含む）を可食成分として配合しているので、肝機能促進作用、坑コレステロール、利尿作用、二日酔い防止などのアーティチョーク葉の薬効を手軽に取り入れることが可能となる。
【発明を実施するための最良の形態】
【００１０】
本発明を実施するための最良形態を以下に説明する。当然のことながら、本発明は最良形態における具体的な構成に限定されるものではなく、本発明の要旨を逸脱しない限り本発明の保護範囲に含まれる。
【００１１】
まず、アーティチョーク飴は、アーティチョーク葉を乾燥させ、微粉末にする。それを飴生地に混練し、適宜形成手段により任意の形状に形成する。
【００１２】
この飴生地は特に限定されるものではなく、例えば水飴、グラニュー糖等の砂糖類やノンカロリー糖類が使用される。また、必要に応じて飴生地に色素、香料、酸味料等を加えることにより、色、味などに変化をつけることができる。
【００１３】
また、乾燥粉末の他に、アーティチョーク葉抽出物及びその乾燥粉末（乾燥抽出物に同じ）も同様である。なお、アーティチョーク葉抽出物は、水性抽出物やアルコール抽出物として製剤の分野で公知である。
【００１４】
次に、薬膳用食材は、アーティチョーク葉の乾燥粉末又は抽出物ないしは乾燥抽出物からなり、アーティチョーク葉の薬効成分を活かした可食材料として薬膳に使用するものである。
【産業上の利用可能性】
【００１５】
本発明は、アーティチョーク葉の公知の薬効を活かした可食材料を利用（摂食）し易い形態のアーティチョーク飴及び薬膳用食材として開発したものであり、産業用の利用価値を有する。
(57)【要約】【課題】保存性の向上のためｐＨを低下させたタンパク質を含有したゼリー状食品において、タンパク質含量が５．０％以上であり、且つタンパク質の凝集が見られず滑らかで風味の良好であるゼリー状食品を提供する。【解決手段】タンパク質含量が５．０％以上であり、且つタンパク質の凝集が見られず滑らかで風味の良好であるゼリー状食品をゲル化剤としてＬＭペクチンを０．０５％〜５．０％使用、且つフィチン酸を０．０１〜５．０％使用することによって、製造する。【選択図】なし【特許請求の範囲】
【請求項１】
ホエイタンパク質とＬＭペクチンとフィチン酸を含有するゼリー状食品。
【請求項２】
ホエイタンパク質をタンパク質含量として５．０〜２０．０％含有する請求項１記載のゼリー状食品。
【請求項３】
ＬＭペクチンを０．０５〜５．０％含有する請求項１記載のゼリー状食品。
【請求項４】
フィチン酸を０．０１〜５．０％含有する請求項１記載のゼリー状食品。
【発明の詳細な説明】
【技術分野】
【０００１】
本発明は、タンパク質補給を目的としたゼリー状食品に関するものである。
【背景技術】
【０００２】
タンパク質を補給することを目的とした食品は、粉末状、液体状等、様々な形態で市販されているが、より手軽に、より美味しく食することのできるゼリー状の食品が消費者から求められている。
【０００３】
タンパク質補給を目的とする食品に求められる性質として、次の事項が挙げられる。（１）できるだけタンパク質含量が多く、効率よくタンパク質を摂取できる。（２）手軽に摂食できる。（３）美味しく摂食できる。（４）保存安定性が高い。
【０００４】
ゼリー状の食品には、一般的に増粘多糖類を主体とするゲル化剤が広く利用されている。例えば、ペクチン、カラギナン、ジェランガム、寒天、グルコマンナン、カードラン、アルギン酸、タマリンドシードガム等が挙げられる。この中でもペクチンは、野菜や果実、特に柑橘類に多く含まれている天然の高分子多糖類であり、主にガラクチュロン酸とメチル化ガラクチュロン酸で構成されている。本発明に使用されるペクチンは、エステル化度が５０％未満のＬＭペクチンである。
【０００５】
ゼリー状の食品は、保存性の向上並びに清涼感のある味付けのため、酸味料がしばしば使用される。例えば、クエン酸、リンゴ酸、グルコン酸、酒石酸、乳酸、フィチン酸、リン酸等が上げられる、この中でも本発明に使用される、フィチン酸は、イノシトールの６リン酸エステルであり、穀類等の植物に存在する。食品に添加した場合、他の酸味料に比べて少量でｐＨを下げることが可能であり、酸味を付与したくない場合に適している。
【発明の開示】
【発明が解決しようとする課題】
【０００６】
解決しようとする問題点は、保存性の向上のためｐＨを低下させたタンパク質を含有したゼリー状食品において、タンパク質含量が５．０％以上であり、且つタンパク質の凝集が見られず滑らかで風味の良好であるゼリー状食品を製造することは困難である点である。
【課題を解決するための手段】
【０００７】
上記問題点を解決するため、本発明のタンパク質補給用ゼリー状食品では、タンパク質としてホエイタンパク質を使用し、ゲル化剤としてＬＭペクチンを０．０５％〜５．０％使用、且つフィチン酸を０．０１〜５．０％使用することによって、タンパク質含量が５．０％以上であり、且つタンパク質の凝集が見られず滑らかで風味の良好であるゼリー状食品を製造することを特徴とする。
【発明の効果】
【０００８】
本発明により、タンパク質の摂取効率が高く、美味しく摂食することができる保存性の高いタンパク質補給用ゼリー状食品をタンパク質の凝集等の問題も無く製造できるという利点がある。
【発明を実施するための最良の形態】
【０００９】
本発明において原料として使用するタンパク質は、牛乳より製造されるホエイタンパク質であれば、特に限定されるものではなく、例えばチーズホエイを限外ろ過や脱乳糖処理して製造される濃縮ホエイタンパク質、熱変性処理をした微粒子化濃縮ホエイタンパク質等が挙げられる。
【００１０】
本発明のタンパク質補給用ゼリー状食品は、上記ホエイタンパク質を５．０〜２０．０％含有するが、好ましくは、５．０〜１５．０％、さらに好ましくは５．０〜８．０％含有する。
【００１１】
本発明ではゲル化剤としてＬＭペクチンを用いるが、他の増粘多糖類を併用することも出来る。増粘多糖類としては、グァーガム、ローカストビーンガム、キサンタンガム、デンプン等が挙げられるが、特に限定されるものではない。
【００１２】
本発明のタンパク質補給用ゼリー状食品は、上記ＬＭペクチンを０．０５〜５．０％含有するが、好ましくは、０．２〜３．０％、さらに好ましくは０．３〜１．５％含有する。
【００１３】
本発明ではＬＭペクチンを使用するが、ゲル強度上げる目的で２価のカチオンイオンを添加することも出来る。カチオンイオンとしては、カルシウムイオン、マグネシウムイオン等が挙げられるが、特に限定されるものではない。
【実施例１】
【００１４】
次に本発明のタンパク質補給用ゼリー状食品について実施例を挙げて説明するが、本発明の範囲はこれらによって、何ら限定されるものではない。
【００１５】
実施例では以下の原料を使用したが、同等のものであれば特に指定されるものではない。濃縮ホエイタンパク質パウダー（シンプレス１００、ＣＰ  Ｋｅｌｃｏ製）、ＬＭペクチン（ＧＥＮＵ  ｐｅｃｔｉｎ  ｔｙｐｅ  ＬＭ−１０４ＡＳ−Ｊ、ＣＰ  Ｋｅｌｃｏ製）、フィチン酸（敷島スターチ株式会社製）。
【００１６】
タンパク質補給用ゼリー状食品を試作した。濃縮ホエイタンパク質パウダーをプロペラ攪拌機を用いて水に分散、溶解した。ＬＭペクチンをプロペラで攪拌しながら、６０〜８５℃の湯に分散、溶解してペクチン溶液を調製した。濃縮ホエイタンパク質パウダーの溶液を湯浴中で攪拌しながら８５℃まで加熱し、ＬＭペクチン溶液を添加混合した後、砂糖を添加、溶解した。次いで攪拌しながらフィチン酸溶液を添加した。容器に充填した後、８５℃の湯浴中で１０分間で殺菌した。試作品のタンパク質含量は６．０％、ｐＨ  ３．９である。また、比較例としてフィチン酸の代わりにクエン酸を使用してｐＨを調整したものも併せて試作した。
【００１７】
【表１】
2008148606.tif 000002
【００１８】
【表２】
2008148606.tif 000003
【００１９】
表２から分かるように、ゲル化剤にＬＭペクチン、酸味料としてフィチン酸を使用することで、タンパク質の凝集が見られず滑らかで風味の良好であるゼリー状食品を得ることが出来る。
【産業上の利用可能性】
【００２０】
本発明のタンパク質補給用ゼリー状食品は、病院食、非常食、スポーツをする際のタンパク質補給食品等への利用することが可能である。
(57)【要約】【課題】鮎の友ずりにおいて釣り糸はおとり鮎にとっておもりとなり動きを鈍らせてしまう、又風にあおられ舞う釣り糸もおとり鮎に負荷をかけて動きを鈍らせてしまう、釣果はあがらない。【解決手段】うきを使うことによって釣り糸の重さをうきに吸収させ、風にあおられて舞う釣り糸の負荷もうきに吸収させる、この事によりおとり鮎は限りなく自然に近い状態で泳ぐ事ができ釣果があがる。【選択図】図１
2008148675.tif 000002
【特許請求の範囲】
【請求項１】
釣り糸にうきを取り付けてその浮きを利用した鮎の友ずりである。
【発明の詳細な説明】
【技術分野】
【０００１】本発明は、うきを使うことによって鮎の友ずりを容易に出来るようにするものである。
【背景技術】
【０００２】従来鮎の友ずりは、釣り糸が直接鮎の鼻につながっていたため鮎にとって釣り糸は重くおもりをつけて泳いでいるようなものであった、自由に鮎を泳がせて釣るともずりにおいては欠点だった、又風の強い日には釣り糸が風に流されて鮎の泳ぎを悪くしていた。
【発明の開示】
【発明が解決しようとする課題】
【０００３】釣り糸の重さが直接おとり鮎にかからないように、又か風が吹いて釣り糸が風に流されてもおとり鮎の泳ぎに支障をきたさないように本発明は考え出された物である。
【課題を解決する為の手段】
【０００４】
2008148675.tif 000003
【発明の効果】
【０００５】おとり鮎にとって釣り糸はおもりをつけて泳いでいるようなもの、又釣糸が風に流されるとおとり鮎の泳ぎに支障をきたす、本発明のうきを使えば上記のような事は解決される。
【発明を実施するための最良の形態】
【０００６】以下、本発明の実施の形態を図面に基づき説明する。【０００７】図１は、本考案の使い方をわかりやすくする為の全体図である。釣竿４から釣り糸１をうき３につなぐ、こうすることによって釣り糸１の重さはうき３の部分で吸収される、風に流されて釣り糸が舞うようなことが
2008148675.tif 000004
がれたおとり鮎の泳ぎには、釣り糸の重さも風の抵抗も何ら影響を及ぼす事はない。【０００８】図１で、示すようにうき３の２の部分をゴムパッキンでとめる、又は縛
2008148675.tif 000005
【実施例】
【０００９】釣り糸の重さ風による釣り糸の抵抗が、本発明のうきを使用する事によってそれらの欠点を吸収する事ができ、おとり鮎は限りなく自然の泳ぎをする、おとり鮎の泳ぎがいいので釣りの釣果もあがった。
【産業上の利用の可能性】
【００１０】鮎の友ずりにおける釣り糸には目印が必要である、目印があることによっておとり鮎のいる位置が確認できそれがつりの釣果につながるわけである、小さな目印を１日中見ていること大変な事である、又逆光の場所では目印は見ぬくい、本発明のうきを使って釣る方法ならうきが目印となり疲れず便利である。又本発明を使用すれば釣果もあがるので、全国で釣りをする人約１０００万人はいると言われている、本発明は単価は低いが市場性もあり産業上の利用価値は高い。
【図面の簡単な説明】
【００１１】
【図１】本発明の使用方法をわかりやすくする為の全体図である。
【図２】本発明の平面図である
【図３】本発明の側面図である。
【図４】本発明右側面図である。
【符号の説明】
【００１２】１、  釣り糸
2008148675.tif 000006
２、  釣り糸固定
３、  本発明のうき
４、  釣竿
【図１】
2008148675.tif 000007
【図２】
2008148675.tif 000008
【図３】
2008148675.tif 000009
【図４】
2008148675.tif 000010
(57)【要約】【課題】遠投を目的とする釣りにおいては、少しでも遠くのポイントを狙いたいものである、浮きをつけて遠くのポイントを狙うことは浮きが外れて難しい問題であった。【解決手段】浮きに穴をあけてそこに釣り糸を通すことにより浮きと釣り糸を固定する、こうすることによって遠くのポイントを狙っても釣り糸から浮きが外れることはない。【選択図】図４
2008148674.tif 000002
【特許請求の範囲】
【請求項１】
浮きに穴をあけて、その穴に釣り糸を通し浮きを固定する物である
【発明の詳細な説明】
【技術分野】
【０００１】本発明は、浮きに穴を開けその穴に釣り糸を通すことにより、浮きを固定させ浮きを遠くに飛ばす事により釣果をあげる物である。
【背景技術】
【０００２】従来釣りにおける浮きは、浮きの端の部分をゴムパッキンで止めて使用していたので、遠くに浮きを投げようとするとゴムパッキンが外れ浮きが釣り糸から放れてしまった。
【発明の開示】
【発明が解決しようとする課題】
【０００３】浮きを遠くに投げる時、どうしてもゴムパッキンで止めてあるため力を入れて浮きを投げ入れると、パッキンが外れて浮きが取れてしまった、遠くに投げ入れるには不向きであった、本発明はこれを解決するために考え出されたものである。
【課題を解決する為の手段】
【０００４】
2008148674.tif 000003
に通していく浮きにあける穴の数はもっと多くてもよい。
【発明の効果】
【０００５】浮きに穴をあけその中に釣り糸を通していく、このようにして釣り糸を引き締めれば、浮きと釣り糸は固定され遠くに投げ入れる事ができる、
【発明を実地する為の最良の形態】
【０００６】以下、本発明の実地の形態を図面に基づき説明する。
【０００７】
2008148674.tif 000004
けて釣り糸を通してゆき、釣り糸を引き締めることにより浮きと釣り糸を固定させる、穴の数が多ければ多いほど安定する、このような形態であるので遠くに投げても浮きが釣り糸から外れることはない。
【実施例】
【０００８】本発明を使用すると、浮きを遠くに投げ入れる事ができ遠くのポイントを狙って釣りを楽しむ事ができる、又釣り糸の先に大き目のおもりをつけることにより、図１のように浮きを立たせることもできる、図２はおもりなしの時である。
【産業上の利用の可能性】
【０００９】本発明を使用すれば釣果もあがる、全国に釣りをする人約１０００万人はいるといわれている、本発明は単価が低いが市場せいがあり産業上の利用価値は高い。
【図面の簡単な説明】
【００１０】
【図１】、
【図２】本発明の使用方法をわかりやすくする為の全体図である。図１はおもりをつけたとき、図２はおもりのない時。
【図３】本発明の平面図である。
【図４】本発明の側面図である。
【符号の説明】
【００１１】１、    釣り竿
２、    釣り糸
３、    浮き
2008148674.tif 000005
【図１】
2008148674.tif 000006
【図２】
2008148674.tif 000007
【図３】
2008148674.tif 000008
【図４】
2008148674.tif 000009